(57)【要約】【課題】露光装置側において、感光体（像担持体）の主走査方向（長手方向）のガタが生じていても、露光装置の感光体（像担持体）に対する位置決めを行うことができる画像形成装置を提供する。【解決手段】像担持体を有する像担持体ユニットが画像形成装置本体への収納および画像形成装置本体からの取り出しが可能とされた画像形成装置である。退避機構を介して、像担持体ユニットの収納状態においては露光装置を像担持体に近接する状態とし、像担持体ユニットの収納取り出し動作状態においては像担持体から離間する状態とする。遮蔽部材にて、退避機構を露光装置の主走査方向のガタを許容する状態で遮蔽する。ガイド機構にて、退避機構を介して露光装置が像担持体に近接する際に、露光装置の主走査方向の位置合わせを行う。【選択図】図１
2014106415.tif 000002
【特許請求の範囲】
【請求項１】
少なくとも像担持体を有する像担持体ユニットと、像担持体に近接して静電潜像を形成するための光源として露光装置とを備え、前記像担持体ユニットが画像形成装置本体への収納および画像形成装置本体からの取り出しが可能とされた画像形成装置において、
像担持体ユニットの収納状態においては露光装置を像担持体に近接する状態とし、像担持体ユニットの収納取り出し動作状態においては像担持体から離間する状態とする退避機構と、退避機構を少なくとも露光装置の主走査方向のガタを許容する状態で遮蔽している遮蔽部材と、退避機構を介して露光装置が像担持体に近接する際に、この露光装置の前記主走査方向の位置合わせを行うガイド機構とを備えたことを特徴とする画像形成装置。
【請求項２】
退避機構は、露光装置の長手方向両端部にそれぞれ連設される一対のリンク機構を備えるとともに、前記遮蔽部材は、画像形成装置本体の側壁のリンク機構対向壁部と、このリンク機構対向壁部に対向するガイド板部材とで構成され、各リンク機構が、リンク機構対向壁部とガイド板部材との間に介在されることを特徴とする請求項１に記載の画像形成装置。
【請求項３】
担持体ユニット側と露光装置側とのいずれか一方側に設けられるピン部材と、他方に設けられて主走査方向の位置が合った状態での前記ピン部材の嵌入を許容する孔部とを有する位置固定機構を備えたことを特徴とする請求項１又は請求項２に記載の画像形成装置。
【請求項４】
位置固定機構のピン部材の先端部は、基端側から先端側に向かって縮径するテーパ部とされ、ピン部材が孔部に嵌入される際に、このテーパ部が、孔部の開口部に摺接してピン部材の孔部への嵌入を許容することを特徴とする請求項３に記載の画像形成装置。
【請求項５】
ガイド機構は、像担持体ユニット側と露光装置側とのいずれか一方に設けられる雄部と、他方に設けられて露光装置が像担持体に接近する際に露光装置が主走査方向にスライドしつつ雄部が嵌入されていって嵌合する雌部とを有することを特徴とする請求項１〜請求項４に記載の画像形成装置。
【請求項６】
ガイド機構は、雌部に、露光装置が像担持体に接近する際に主走査方向のガイドとなる案内部を有することを特徴とする請求項５に記載の画像形成装置。
【請求項７】
雌部は、奥側から入口側に向かって走査方向寸法が広くなる入口テーパ部と、この入口テーパ部より奥側の雄部嵌合部とからなることを特徴とする請求項５又は請求項６に記載の画像形成装置。
【請求項８】
雌部の雄部嵌合部は、全域の走査方向寸法が同一されることを特徴とする請求項７に記載の画像形成装置。
【請求項９】
雌部の雄部嵌合部への雄部の嵌入状態で、雄部が雄部嵌合部内面に非接触であることを特徴とする請求項７又は請求項８に記載の画像形成装置。
【請求項１０】
ガイド機構の雄部が露光装置側に設けられるとともに、ガイド機構の雌部が担持体ユニット側に設けられていることを特徴とする請求項１〜請求項９のいずれか1項に記載の画像形成装置。
【請求項１１】
ガイド機構の雄部が担持体ユニット側に設けられるとともに、ガイド機構の雌部が露光装置側に設けられていることを特徴とする請求項１〜請求項９のいずれか1項に記載の画像形成装置。
【発明の詳細な説明】
【技術分野】
【０００１】
本発明は、複写機、プリンタ、ファクシミリ、これらを備えた複合機等の電子写真方式の画像形成装置に関する。
【背景技術】
【０００２】
複写機、プリンタ、ファクシミリ、これらを備えた複合機等の電子写真方式の画像形成装置においては、現像ユニットと感光体ユニットとが一体構成となっているユニット体（プロセスカートリッジ）を搭載したものがある。
【０００３】
このようなものにおいては、トナー切れや感光体ユニット等の部位の劣化により前記プロセスカートリッジを定期的に交換する必要がある。また、露光装置にＬＥＤヘッドを用いたものがあり、このような画像形成装置では、画像形成装置本体の上部に設けられた上カバーを開状態として、プロセスカートリッジを交換することになる。
【０００４】
そして、ＬＥＤヘッドはプロセスカートリッジの取り出し軌跡上に配置されている。このため、このような交換方法として、従来では、画像形成装置本体の上部に設けられた上カバーを開状態とした後、又は開状態とすると同時に、ＬＥＤを搭載位置から退避させた状態として、プロセスカートリッジを画像形成装置本体から取り外す必要があった。
【０００５】
すなわち、ＬＥＤヘッドは焦点距離が短いために、ＬＥＤヘッドの光照射面を感光体に近接して配置する必要がある。このため、プロセスカートリッジの取り出しやジャム処理時には、ＬＥＤヘッドを感光体から退避させる必要がある。
【０００６】
ＬＥＤヘッドを感光体から退避させる方法として、退避機構を設けてカバーの開閉動作に連動させてＬＥＤヘッドを感光体に当接・退避させる方法が既に知られている。この退避機構としては、ＬＥＤヘッドの主走査方向端部にリンク機構を設けたものがある。そして、従来には、ＬＥＤヘッドをガタつきなく位置決めできるように設定される画像形成装置が提案されている（特許文献１）。この画像形成装置は、ＬＥＤヘッドを感光体に近接させる近接位置と、感光体から離間させる離間位置との間で移動可能なスライド部材と、スライド部材の移動方向と平行でない軸を有する位置決め体と、位置決め体の軸方向とほぼ平行に形成された案内面とを備えるものである。
【発明の概要】
【発明が解決しようとする課題】
【０００７】
ところが、退避機構を設ければ、この退避機構にユーザが触れてしまうことがある。
【０００８】
本発明は、斯かる事情に鑑み、露光装置の退避機構とこの退避機構を遮蔽する遮蔽部材を備え、露光装置側において、感光体（像担持体）の主走査方向（長手方向）のガタが生じていても、露光装置の感光体（像担持体）に対する位置決めを行うことができる画像形成装置を提供するものである。
【課題を解決するための手段】
【０００９】
本発明の画像形成装置は、少なくとも像担持体を有する像担持体ユニットと、像担持体に近接して静電潜像を形成するための光源として露光装置とを備え、前記像担持体ユニットが画像形成装置本体への収納および画像形成装置本体からの取り出しが可能とされた画像形成装置において、像担持体ユニットの収納状態においては露光装置を像担持体に近接する状態とし、像担持体ユニットの収納・取り出し動作状態においては像担持体から離間する状態とする退避機構と、退避機構を少なくとも露光装置の主走査方向のガタを許容する状態で遮蔽している遮蔽部材と、退避機構を介して露光装置が像担持体に近接する際に、この露光装置の前記主走査方向の位置合わせを行うガイド機構とを備えたものである。
【発明の効果】
【００１０】
本発明の画像形成装置では、像担持体ユニットの収納・取り出し動作において露光装置が邪魔にならず、像担持体ユニットの交換やメンテナンス作業性の向上を図ることができる。退避機構は、遮蔽部材にて遮蔽されているので、ユーザ等がこの退避機構に直接的に接触することがなく、この退避機構が誤動作を起すことがなく、露光装置が意図しない動作を防止できる。一方、遮蔽部材を設けることに起因して、主走査方向（露光装置の長手方向）のガタは必然的に生じるが、ガイド機構を設けることにより、露光装置をセットした状態では、露光装置は正規の位置に位置決めされた状態となって、露光装置が安定した機能を発揮する。すなわち、この画像形成装置は、退避機構にユーザが接触しないことと、主走査方向の正規の位置に位置決めすることの両立を可能とした。
【図面の簡単な説明】
【００１１】
【図１】実施形態を示す画像形成装置の全体構成図である。
【図２】前記図１に示す画像形成装置の画像形成装置本体の側壁を示し、（ａ）はガイド板部材が取り付けられた状態の左前方斜視図であり、（ｂ）はガイド板部材が取り外された状態の左前方斜視図である。
【図３】前記図１に示す画像形成装置の画像形成装置本体の側壁を示し、（ａ）はガイド板部材が取り付けられた状態の右前方斜視図であり、（ｂ）はガイド板部材が取り外された状態の右前方斜視図である。
【図４】前記図１に示す画像形成装置の画像形成装置本体の側壁の正面図である。
【図５】像担持体ユニットと露光装置と関係を示す平面図である。
【図６】像担持体ユニットと露光装置と関係を示す正面図である。
【図７】像担持体ユニットと露光装置と関係を示す側面図である。
【図８】露光装置の正面図である。
【図９】露光装置の側面図である。
【図１０】露光装置の底面図である。
【図１１】像担持体ユニットと露光装置と関係を示し、ガイド機構のガイド前の正面図である。
【図１２】ガイド機構を示し、（ａ）は雄部が雌部の入口テーパ部に嵌入開始状態の説明図であり、（ｂ）は雄部が雌部の雄部嵌合部に嵌入開始状態の説明図であり、（ｃ）は雄部が雌部の雄部嵌合部に嵌合状態の説明図である。
【図１３】他のガイド機構の正面図である。
【図１４】図１３のガイド機構を示し、（ａ）は雄部が雌部の入口テーパ部に嵌入開始状態の説明図であり、（ｂ）は雄部が雌部の雄部嵌合部に嵌入開始状態の説明図であり、（ｃ）は雄部が雌部の雄部嵌合部に嵌合状態の説明図である。
【発明を実施するための形態】
【００１２】
以下、図に示す実施例による本発明を実施するための形態を説明する。
【実施例】
【００１３】
図１は画像形成装置としてのモノクロ式の電子写真装置を中央から断面して示す概略構成図である。この画像形成装置は、画像形成装置本体１の略中央部にトナーカートリッジ２が配置されている。トナーカートリッジ２内には、感光体３に潜像を形成するための露光装置４が配置されている。
【００１４】
トナーカートリッジ２の下方には転写ローラ５が設置されている。転写ローラ５の下方には記録媒体用紙を積載・収容する給紙カセット１０が配置されている。符号７は給紙装置、８は定着器、９は排紙装置、６は排紙トレーである。
【００１５】
トナーカートリッジ２は、トナーを感光体ユニット１１の感光体３に供給して感光体３の表面にトナー画像を作像する現像ローラ１２を有する現像ユニット部１３と、この現像ユニット部１３にトナーを供給するトナー補給部１４とから少なくとも構成される。なお、現像ローラ１２は感光体３によって回転駆動される。
【００１６】
ここでは、トナーカートリッジ２は、帯電ローラ１６等を有する感光体ユニット１１と一体化されて、一般的にプロセスカートリッジと称される像担持体ユニット１５を構成している。像担持体ユニット（プロセスカートリッジ）１５は画像形成装置本体１に対して、図１に示す矢印Ａ方向から着脱可能とされている。
【００１７】
記録媒体用紙は給紙装置７から感光体３と転写ローラ５との間に向かって送られる。感光体３は回転してその表面の感光層が帯電ローラ１６によって、一様に高電位に帯電される。なお、感光体３、現像ローラ１２の回転駆動については後述する。
【００１８】
その感光体３の感光層は露光装置４により露光され、露光により電位が低下した低電位部と露光されなかった高電位部とにより、感光体３の表面に静電潜像が形成される。
【００１９】
ついで、感光体３の回転により、感光体３の静電潜像が形成された部分が現像ローラ１２に対向する箇所に達すると、現像ローラ１２からトナーが感光体３の感光層に転移されて、静電潜像が顕像化され、感光体３の表面にトナー像が形成される。
【００２０】
その感光体３の表面に付着したトナー像は、図１に示す転写ローラ５によって感光体３と転写ローラ５との間を通過中の記録媒体用紙に転写される。その記録媒体用紙は定着器８に導かれ、その記録媒体用紙にトナー像が加熱・加圧により定着される。その後、トナー像が定着された記録媒体用紙は、排紙装置９により排紙トレー６に排出される。
【００２１】
感光体３のトナー像の転写後、その感光体３の回転中にその感光体３の表面に残留するトナーがクリーニングブレード１７によってクリーニングされ、図示を略す除電装値によって感光体３の表面に残留する残留電荷が除去され、次のトナー像の形成準備がされる。
【００２２】
ところで、この画像形成装置では、像担持体ユニット１５の収納状態においては露光装置４を像担持体としての感光体３に近接する状態とし、像担持体ユニット１５の収納取り出し動作状態においては感光体３から離間する状態とする退避機構２０（図２（ｂ）および図３（ｂ）等参照）を備える。
【００２３】
露光装置４は、図４〜図６等に示すように、ＬＥＤアレイヘッド２１を用いている。ＬＥＤアレイヘッド２１は、発光部２２と、この発光部２２を基板ごと保持するＬＥＤフレーム２３とを備える。
【００２４】
退避機構２０は、露光装置４を構成するＬＥＤアレイヘッド２１の長手方向両端部にそれぞれ連設される一対のリンク機構２５、２５（図２と図３等参照）を備える。リンク機構２５は、そのリンク２６が図８に示す保持部材２７に連設される。この保持部材２７は、平板状の基板２８と、この基板２８の一端部に付設される軸部２９とを備え、ＬＥＤアレイヘッド２１の長手方向両端面から突設される軸部３０が、基板２８の他端部に挿通されている。このため、ＬＥＤアレイヘッド２１は、その長手方向（主走査方向）に保持部材２７に対して往復動がすることができる。すなわち、ＬＥＤアレイヘッド２１は主走査方向（図５に示す主走査方向）にガタを有するものです。なお、ＬＥＤアレイヘッド２１としては、主走査方向のガタに加え、主走査方向に直交する副走査方向（図５に示す副走査方向及び図９の矢印方向）のガタを有するのが好ましい。
【００２５】
この場合、前記一対の軸部２９、３０と、図示省略の一対の軸部と、基板２８と、リンク２６等で、４つのリンクを有するリンク機構が形成される。これによって、この画像形成装置本体１に付設されるカバー（図示省略）の開閉動作にともなあって、ＬＥＤアレイヘッド２１が揺動する。
【００２６】
すなわち、露光装置４が像担持体としての感光体３に近接する状態と、感光体３から離間する状態とに変位する。この場合、カバーが開状態でＬＥＤアレイヘッド２１が感光体３から離間する状態となり、カバーが閉状態でＬＥＤアレイヘッド２１が感光体３に近接する状態となる。カバーが開状態でＬＥＤアレイヘッド２１が感光体３から離間する状態では、図１の２１Ａ、２１Ｂの仮想線に示すように、退避状態となって、像担持体ユニット（プロセスカートリッジ）１５の取り出しやジャム処理時には、これらの作業（動作）に妨げにならない。また、カバーの閉状態では、図１の実線で示すように、ＬＥＤアレイヘッド２１が感光体３に近接する状態となって、ＬＥＤアレイヘッド２１が静電潜像を形成するための光源として機能する。
【００２７】
ところで、図４に示すように、退避機構２０を構成するリンク機構２５は遮蔽部材４０にて遮蔽されている。この場合の遮蔽部材４０は、画像形成装置本体１の側壁４１，４２のリンク機構対向壁部４１ａ、４２ｂと、このリンク機構対向壁部４１ａ、４２ｂに対向するガイド板部材４３ａ，４３ｂとで構成される。すなわち、リンク機構２５は、このように、リンク機構対向壁部４１ａ、４２ｂとガイド板部材４３ａ，４３ｂとの間にリンク機構２５が介在されることになる。この場合、遮蔽部材４０は、ＬＥＤアレイヘッド２１の主走査方向のガタを許容する状態で遮蔽している。
【００２８】
また、感光体３は、図６等に示すように、像担持体ユニット（プロセスカートリッジ）１５のフレーム４４に、その軸部３ａが支持されている。フレーム４４は、一対の保持枠体４５ａ，４５ｂを備える。各保持枠体４５ａ、４５ｂは、軸部３ａを支持する支持片部４６と、ＬＥＤアレイヘッド２１の対面状となる受け片部４７とからなる。
【００２９】
そして、この装置では、退避機構２０を介してＬＥＤアレイヘッド２１が像担持体（感光体３）に近接する際に、このＬＥＤアレイヘッド２１主走査方向の位置合わせを行うガイド機構Ｍ１と、この位置合わせ状態を固定する位置固定機構Ｍ２とを設けている。
【００３０】
ガイド機構Ｍ１は、図６と図７等に示すように、像担持体ユニット側、つまり感光体３側に設けられて雄部５１と、露光装置側、つまりＬＥＤアレイヘッド２１側に設けられる雌部５２とからなる。
【００３１】
雄部５１は、一方の保持枠体４５ａの受け片部４７から突設される平板状体からなり、そのＬＥＤアレイヘッド側の一方のコーナ部に切欠部５３が形成されている。また、雌部５２は、ＬＥＤアレイヘッド２１の正面の一方（保持枠体４５ａ側）に設けられた一対のガイド板体５７，５８からなる。この雌部５２は、奥側から入口側に向かって走査方向寸法が広くなる入口テーパ部５５と、この入口テーパ部５５より奥側の雄部嵌合部５６とからなる。すなわち、図１２に示すように、ガイド板体５７，５８は、その幅寸法（主走査方向寸法）が入口側から奥側に向かって狭くなり、傾斜部５７ａ，５８ａと、その幅寸法（主走査方向寸法）がその全長にわたって同一に設定される直線部５７ｂ，５８ｂとからなる。この入口テーパ部５５が後述するように、雄部５１が雌部５２に嵌入するための案内部となる。
【００３２】
この場合、図１２（ｂ）に示すように、雌部５２の奥側の雄部嵌合部５６の幅寸法Ｗ１が、雄部５１の厚さ寸法Ｔ１よりも大きく設定され、図１２（ｃ）に示すように、雄部５１が雌部５２の雄部嵌合部５６に嵌入された状態では、この雄部５１が雄部嵌合部５６の内面に接触しない非接触状態となる。
【００３３】
また、位置固定機構Ｍ２は、図１２に示すように、一対の保持枠体４５ａ，４５ｂの受け片部４７に設けられるピン部材６０ａ、６０ｂと、ＬＥＤフレーム２３の底壁２３ａの長手方向端部に設けられる孔部６１ａ、６１ｂとを有する。
【００３４】
この場合、ピン部材６０ａ、６０ｂは、基端側から先端側に向かって縮径するテーパ部６２を有する円柱乃至円筒状体からなり、また、図１０に示すように、一方の孔部６１（６１ａ）がピン部材６０の軸径よりも僅かに大きい円形孔であり、他方の孔部６１（６１ａ）が主走査方向に沿って長い長円形孔である。
【００３５】
次の前記のように構成されたガイド機構Ｍ１及び位置固定機構Ｍ２との機能について述べる。まず、カバーが開状態であって、ＬＥＤアレイヘッド２１が感光体３から離間している状態から、カバーを閉めていって、図１１の矢印のように、ＬＥＤアレイヘッド２１を感光体３に接近させていった際に、図１２（ａ）に示すように、ピン部材６０ａに対して、孔部６１ａ及びガイド機構Ｍ１の雌部５２が主走査方向の矢印Ｘ１方向にズレが生じている場合に、まず、雄部５１が、ピン部材６０ａ側のガイド板体５７の傾斜部５７ａ内面に接触する。
【００３６】
そして、この状態から、さらに、ＬＥＤアレイヘッド２１が感光体３に接近していけば、ＬＥＤアレイヘッド２１は主走査方向のガタを許容するので、雄部５１がこのガイド板体５７の傾斜部５７ａ内面に案内されつつ、図１２（ｂ）の矢印Ｘ２で示すようにスライドして、雌部５２の奥側の雄部嵌合部５６への嵌入が開始する。すなわち、入口テーパ部５５によって、ＬＥＤアレイヘッド２１が感光体３に接近する際の主走査方向のガイドとなる案内部が形成される。この図１２（ｂ）に示す状態では、位置固定機構Ｍ２のピン部材６０ａの先端テーパ部６２が、孔部６１ａの反雄部側の外周縁に接触する。この状態から、ＬＥＤアレイヘッド２１が感光体３に接近していくことによって、この先端テーパ部６２が案内部となって、図１２（ｃ）に示すようなピン部材６０ａの孔部６１ａ内への嵌入が許容される。
【００３７】
また、位置固定機構Ｍ２の他方のピン部材６０ｂにおいても、同様に孔部６１ｂ内への嵌入が許容される。この場合、他方のピン部材６０ｂ側においては、孔部６１ｂが長円形孔であるので、ピン部材６０ｂはその嵌合状態において、ＬＥＤアレイヘッド２１の主走査方向のスライドを許容する。しかしながら、一方のピン部材６０ａ側においては、孔部６１ａが円形孔であるので、ＬＥＤアレイヘッド２１の主走査方向及び主走査方向と直交する方向の副走査方向のスライドを規制する。また、他方のピン部材６０ｂ側においても副走査方向のスライドを規制する。
【００３８】
このように、ガイド機構Ｍ１によって、図１２（ａ）に示すように、ＬＥＤアレイヘッド２１が主走査方向に位置ずれしていても、図１２（ｃ）に示すように、ピン部材６０ａが孔部６１ｂに嵌入されてすることになって、位置決めされた状態で位置固定される。
【００３９】
また、図１２（ｃ）に示すように、ＬＥＤアレイヘッド２１が位置決めされた状態で位置固定されている状態から、ＬＥＤアレイヘッド２１を、退避機構を介して感光体３から離間させて行けば、ガイド機構Ｍ１の雄部５１が雌部５２から順次引き抜かれるとともに、位置固定機構Ｍ２のピン部材６０ａ、６０ｂが孔部６１ａ、６１ｂから順次引き抜かれ、ＬＥＤアレイヘッド２１の感光体３から離間が許容される。
【００４０】
前記のように構成された画像形成装置は、像担持体ユニット（プロセスカートリッジ）１５の収納状態においては露光装置（ＬＥＤアレイヘッド２１）を像担持体（感光体３）に近接する状態とし、像担持体ユニット（プロセスカートリッジ）１５の収納・取り出し動作状態においては像担持体（感光体３）から離間する状態とすることができる。このため、画像形成装置本体１から像担持体ユニット（プロセスカートリッジ）１５を取り出したり、画像形成装置本体１に像担持体ユニット（プロセスカートリッジ）１５を収納したりする場合には、露光装置（ＬＥＤアレイヘッド２１）が像担持体（感光体３）から離間する状態となって、像担持体ユニット（プロセスカートリッジ）１５の収納・取り出し動作において露光装置（ＬＥＤアレイヘッド２１）が邪魔にならない。
【００４１】
このため、像担持体ユニット１５の交換やメンテナンス作業性の向上を図ることができる。退避機構２０は、遮蔽部材４０にて遮蔽されているので、ユーザ等がこの退避機構２０に直接的に接触することがなく、この退避機構２０が誤動作を起すことがなく、露光装置４が意図しない動作を防止できる。一方、遮蔽部材４０を設けることに起因して、主走査方向（露光装置４の長手方向）のガタは必然的に生じるが、ガイド機構Ｍ１を設けることにより、露光装置４をセットした状態では、露光装置４は正規の位置に位置決めされた状態となって、露光装置４が安定した機能を発揮する。すなわち、この画像形成装置は、退避機構２０にユーザが接触しないことと、主走査方向の正規の位置に位置決めすることの両立を可能とした。
【００４２】
退避機構２０は、露光装置４の長手方向両端部にそれぞれ連設される一対のリンク機構２５を備えたものであるので、退避機構２０を簡単な構造もって構成でき、しかも、その揺動動作も安定する。
【００４３】
遮蔽部材４０は、画像形成装置本体１の側壁４１，４２のリンク機構対向壁部４１ａ，４２ｂと、このリンク機構対向壁部４１ａ，４２ｂに対向するガイド板部材４３ａ，４３ｂとで構成され、各リンク機構が、リンク機構対向壁部４１ａ，４２ａとガイド板部材４３ａ，４３ｂとの間に介在されるものであり、安定してリンク機構２５を遮蔽することができる。
【００４４】
位置固定機構Ｍ２を備えたものでは、主走査方向の位置が合った状態において、感光体３側に設けられるピン部材６０ａ，６０ｂがＬＥＤアレイヘッド２１側の孔部６１ａ、６１ｂに嵌入することによって、位置が固定され、安定した位置に露光装置４をセットできる
【００４５】
位置固定機構Ｍ２のピン部材６０ａ，６０ｂの先端部がテーパ部６２，６２とされているので、ピン部材６０ａ，６０ｂが孔部６１ａ、６１ｂに嵌入される際に、このテーパ部が、孔部の開口部に摺接してピン部材６０ａ，６０ｂの孔部６１ａ、６１ｂへの嵌入を許容するので、ピン部材６０ａ，６０ｂが孔部６１ａ、６１ｂになめらかに嵌入することができる。
【００４６】
ガイド機構Ｍ１は、案内部を構成する入口テーパ部６５を設けているので、主走査方向の安定した位置決めが可能となる。
【００４７】
また、雌部５２の雄部嵌合部５６は、全域の走査方向寸法が同一されるので、走査方向の位置合わせが行われた状態で、雄部５１は雄部嵌合部５６に嵌入していくことになる。さらに、雌部５２の雄部嵌合部５６への雄部５１の嵌入状態で、雄部５１が雄部嵌合部内面に非接触であるので、位置固定機構Ｍ２のピン部材６０ａ，６０ｂの孔部６１ａ、６１ｂへの嵌入時に、このガイド機構Ｍ１の雄部５１の雌部５２への嵌入動作に影響を与えない。
【００４８】
ところで、前記実施例では、ガイド機構Ｍ１において、雄部５１を感光体側に設け、雌部５２をＬＥＤアレイヘッド２１側に設けたが、図１３と図１４に示すように、これら逆に設けるようにしてもよい。
【００４９】
この場合、平板状体からなる雄部５１がＬＥＤアレイヘッドの正面の一方（保持枠体４５ａ側）に設けられる。また、雌部５２は、図１４に示すように、一方の保持枠体４５ａの受け片部４７に設けられた一対のガイド板体６７，６８からなる。この雌部５２も、奥側から入口側に向かって走査方向寸法が広くなる入口テーパ部６５と、この入口テーパ部６５より奥側の雄部嵌合部６６とからなる。すなわち、図１４に示すように、ガイド板体６７，６８は、その幅寸法（主走査方向寸法）が入口側から奥側に向かって狭くなり、傾斜部６７ａ，６８ａと、その幅寸法（主走査方向寸法）がその全長にわたって同一に設定される直線部６７ｂ，６８ｂとからなる。入口テーパ部６５が、雄部５１が雌部５２に嵌入する際の主走査方向の案内部となる。
【００５０】
また、この場合も、雌部５２の奥側の雄部嵌合部５６の幅寸法Ｗ１が、雄部５１の厚さ寸法Ｔ１よりも大きく設定され、図１４（ｃ）に示すように、雄部５１が雌部５２の雄部嵌合部６６に嵌入された状態では、この雄部５１が雄部嵌合部６６の内面に接触しない非接触状態となる。
【００５１】
次の前記のように構成されたガイド機構Ｍ１及び位置固定機構Ｍ２との機能について述べる。まず、カバーが開状態であって、ＬＥＤアレイヘッド２１が感光体３から離間している状態から、カバーを閉めていって、ＬＥＤアレイヘッド２１を感光体３に接近させていった際に、図１４（ａ）に示すように、ピン部材６０ａに対して、孔部６１ａ及びガイド機構Ｍ１の雌部５２が主走査方向の矢印Ｘ１方向にズレが生じている場合に、まず、雄部５１が、反ピン部材６０ａ側のガイド板体６８の傾斜部６８ａ内面に接触する。
【００５２】
そして、この状態から、さらに、ＬＥＤアレイヘッド２１が感光体３に接近していけば、ＬＥＤアレイヘッド２１は主走査方向のガタを許容するので、雄部５１がこのガイド板体６８の傾斜部６８ａ内面に案内されつつ、図１４（ｂ）の矢印Ｘ２で示すようにスライドして、雌部５２の奥側の雄部嵌合部６６への嵌入が開始する。すなわち、入口テーパ部６５によって、ＬＥＤアレイヘッド２１が感光体３に接近する際の主走査方向のガイドとなる案内部が形成される。この図１４（ｂ）に示す状態では、位置固定機構Ｍ２のピン部材６０ａの先端テーパ部６２が、孔部６１ａの反雄部側の外周縁に接触し、この状態から、ＬＥＤアレイヘッド２１が感光体３に接近していくことによって、図１４（ｃ）に示すようなピン部材６０ａの孔部６１ａ内への嵌入が許容される。
【００５３】
この位置固定機構Ｍ２の他方のピン部材６０ｂにおいても、同様に孔部６１ｂ内への嵌入が許容される。このため、このように、図１１や図１２に示す位置固定機構Ｍ２と同様、ＬＥＤアレイヘッド２１の主走査方向及び主走査方向と直交する方向の副走査方向のスライドを規制する。また、他方のピン部材６０ｂ側においても副走査方向のスライドを規制する。
【００５４】
このように、ガイド機構Ｍ１によって、図１４（ａ）に示すように、ＬＥＤアレイヘッド２１が主走査方向に位置ずれしていても、図１４（ｃ）に示すように、ピン部材６０ａが孔部６１ｂに嵌入されてすることになって、位置決めされた状態で位置固定される。また、図１４（ｃ）に示すように、ＬＥＤアレイヘッド２１が位置決めされた状態で位置固定されている状態から、ＬＥＤアレイヘッド２１を、退避機構を介して感光体３から離間させて行けば、ガイド機構Ｍ１の雄部５１が雌部５２から順次引き抜かれるとともに、位置固定機構Ｍ２のピン部材６０ａ、６０ｂが孔部６１ａ、６１ｂから順次引き抜かれ、ＬＥＤアレイヘッド２１の感光体３から離間が許容される。
【００５５】
このため、図１３と図１４に示すガイド機構Ｍ１であっても、図１１や図１２に示すガイド機構Ｍ１と同様の作用効果を奏する。すなわち、ガイド機構Ｍ１として、雄部５１が露光装置４側に設けられるとともに、雌部５２が担持体ユニット側に設けられていても、雄部５１が担持体ユニット１５側に設けられるとともに、雌部５２が露光装置側に設けられていてもよい。
【００５６】
なお、本発明は上述の実施例に限定されるものではなく、本発明の要旨を逸脱しない範囲で種々の変更を加え得ることは勿論である。本発明に係る画像形成装置は、電子写真複写機、レーザービームプリンタ、ファクシミリ装置等がある。
また、前記実施例では、モノクロ式の電子写真装置であったが、カラー式の電子写真装置であってもよい。
【００５７】
ガイド機構Ｍ１として、一方の保持枠体４５ａ側に設けていたが、他方の保持枠体４５ｂ側に設けても、走査方向両端部側に設けてもよい。さらに、位置固定機構Ｍ２として、一方の孔部６１ａを円孔とするとともに、他方の孔部６１ｂを長円孔としたが、孔部６１ａを長円孔とするとともに、他方の孔部６１ｂを円孔としてもよく、さらには、両孔部６１ａ、６１ｂを円孔としてもよい。
【００５８】
また、図１２に示すガイド機構Ｍ１を有する場合に、前記実施例では、ＬＥＤアレイヘッド２１が、矢印Ｘ１方向にずれている場合について説明したが、逆に矢印Ｘ２方向にずれる場合がある。このように、矢印Ｘ２方向にずれる場合であっても、このガイド機構Ｍ１は対応できる。すなわち、矢印Ｘ２方向にずれていれば、ＬＥＤアレイヘッド２１が感光体３に接近して行くことにより、まず、雌部５２のガイド板部材５８の傾斜部５８ａ内面に雄部５１が当接する。この状態から、さらに、ＬＥＤアレイヘッド２１が感光体３に接近して行けば、ＬＥＤアレイヘッド２１は主走査方向のガタを許容するので、雄部５１がこのガイド板体５８の傾斜部５８ａ内面に案内されつつ、矢印Ｘ１方向にスライドして、雌部５２の奥側の雄部嵌合部６６への嵌入が開始する。この状態では、位置固定機構Ｍ２のピン部材６０ａの先端テーパ部６２が、孔部６１ａの雄部側の外周縁に接触し、この状態から、ＬＥＤアレイヘッド２１が感光体３に接近していくことによって、ピン部材６０ａの孔部６１ａ内への嵌入が許容される。
【００５９】
また、図１４に示すガイド機構Ｍ１を有する場合にも、前記実施例では、ＬＥＤアレイヘッド２１が、矢印Ｘ１方向にずれている場合について説明したが、逆に矢印Ｘ２方向にずれる場合がある。この場合、まず、雄部５１が、ピン部材６０ａ側のガイド板体６７の傾斜部６７ａ内面に接触する。
【００６０】
そして、この状態から、さらに、ＬＥＤアレイヘッド２１が感光体３に接近していけば、ＬＥＤアレイヘッド２１は主走査方向のガタを許容するので、雄部５１がこのガイド板体６７の傾斜部６７ａ内面に案内されつつ、矢印Ｘ１で示すようにスライドして、雌部５２の奥側の雄部嵌合部６６への嵌入が開始する。このでは、位置固定機構Ｍ２のピン部材６０ａの先端テーパ部６２が、孔部６１ａの雄部側の外周縁に接触し、この状態から、ＬＥＤアレイヘッド２１が感光体３に接近していくことによって、ピン部材６０ａの孔部６１ａ内への嵌入が許容される。
【００６１】
位置固定機構Ｍ２として、前記実施例では、ピン部材６０を感光体３側に設けるとともに、孔部６１をＬＥＤアレイヘッド２１側に設けていたが、逆に、ピン部材６０をＬＥＤアレイヘッド２１側に設けるとともに、孔部６１を感光体３側に設けるものであってもよい。
【００６２】
ところで、ＬＥＤアレイヘッド２１の主走査方向のガタとしては、ＬＥＤアレイヘッド２１が感光体３に接近していった際に、ガイド機構Ｍ１の雄部５１が、雌部５２のガイド板体５７、６７、５８、６８の傾斜部５７ａ、５８ａ、６７ａ、６８ａの内面に当接する範囲とする。
【符号の説明】
【００６３】
１    画像形成装置本体
３    感光体
４    露光装置
１５  像担持体ユニット
２０  退避機構
２１  ＬＥＤアレイヘッド
２５  リンク機構
４０  遮蔽部材
４１，４２  側壁
４１ａ、４２ｂ    リンク機構対向壁部
４３ａ，４３ｂ    ガイド板部材
５１  雄部
５２  雌部
５５、６５  入口テーパ部
５６，６６  雄部嵌合部
６０，６０ａ，６０ｂ    ピン部材
６１，６１ａ，６１ｂ    孔部
６２  先端テーパ部
６５  入口テーパ部
Ｍ１  ガイド機構
Ｍ２  位置固定機構
【先行技術文献】
【特許文献】
【００６４】
【特許文献１】特開２００８−０２０８４５号公報
【図１】
2014106415.tif 000003
【図４】
2014106415.tif 000004
【図５】
2014106415.tif 000005
【図６】
2014106415.tif 000006
【図７】
2014106415.tif 000007
【図８】
2014106415.tif 000008
【図９】
2014106415.tif 000009
【図１０】
2014106415.tif 000010
【図１１】
2014106415.tif 000011
【図１２】
2014106415.tif 000012
【図１３】
2014106415.tif 000013
【図１４】
2014106415.tif 000014
【図２】
2014106415.tif 000015
【図３】
2014106415.tif 000016